(57)【要約】【課題】本考案は係合機能を有する構造の簡単なコネクタを提供する。【解決手段】対向した両側板を有し、両側板の間に接続対象を収容するための組込凹部が形成されたハウジングと、前記組込凹部へ延出するように前記接続対象に接続するためのコンタクト部を有するコンタクトと、前記ハウジングの外側を覆っているシールドケースとを含む。前記両側板に、前記組込凹部へ向かって延出するように前記ハウジングと一体的に形成される弾性アームがそれぞれ配置され、前記各弾性アームの末端に前記接続対象に係合するための係合部材が設けられる弾性アームがインサート成形によりハウジングと一体的に形成されるので、シールドケースの構造が簡単になり、製造加工が易くなっている。【選択図】図２
0003136253.tif 000002
【実用新案登録請求の範囲】
【請求項１】
対向した両側板を有し、両側板の間に接続対象を収容するための組込凹部が形成されたハウジングと、
前記組込凹部へ延出するように前記接続対象に接続するためのコンタクト部を有するコンタクトと、  
前記ハウジングの外側を覆っているシールドケースと
を含むコネクタにおいて、
前記両側板に、前記組込凹部へ向かって延出するように前記ハウジングと一体的に形成される弾性アームがそれぞれ配置され、前記各弾性アームの末端に前記接続対象に係合するための係合部が形成されていることを特徴とするコネクタ。
【請求項２】
前記弾性アームは、前記各側板の先端から前記組込凹部へ向かって折曲がって延出するようにそれぞれ形成され、前記係合部材は、前記接続対象に支持するための支持部と、前記の傍側に位置される突出部とを有することを特徴とする請求項１記載のコネクタ。
【請求項３】
前記弾性アームは、前記各側板の底面から前記接続対象の挿入方向に沿って前記組込凹部に延出するようにそれぞれ形成され、前記係合部材は末端に形成された鉤部であり、前記鉤部は前記接続対象の挿入をガイドするための案内面及び前記組込凹部に挿入した接続対象を押圧するための押圧面を含むことを特徴とする請求項１記載のコネクタ。
【請求項４】
前記各側板は、内面の両端にそれぞれ配置される一対の弾性アームをそれぞれ有することを特徴とする請求項２または請求項３記載のコネクタ。
【請求項５】
前記側板の内面の両端に収容溝がそれぞれ形成され、前記弾性アームは前記収容溝に対応し収容されることを特徴とする請求項４に記載のコネクタ。
【請求項６】
前記ハウジングは、前記両側板に連接するための天板と底板と後板とを有し、前記両側板と天板と底板と後板は、前記組込凹部が包囲し形成されることを特徴とする請求項１に記載のコネクタ。
【請求項７】
前記接続対象は、カメラモジュールとカメラモジュールに電気的に接続するドーター基板とを含むカメラモジュール部材であり、前記カメラモジュールに前記弾性アームを収容するための係止溝と係止溝に連通するロック溝とが形成され、前記弾性アームの末端に前記ロック溝に押圧する接触部が設けられることを特徴とする請求項１乃至４のいずれかの一項に記載のコネクタ。
【考案の詳細な説明】
【技術分野】
【０００１】
本考案は、電子部品や相手方コネクタ等を接続対象とし、この接続対象とプリント配線基板とを電気的に接続するためのコネクタに関するものである。特に、カメラモジュールやメモリモジュールなどの電子部品を接続対象とし、この接続対象とプリント配線基板とを電気的に接続するのに適したコネクタに関するものである。
【背景技術】
【０００２】
従来技術は、特許文献１に示すように、従来のコネクタは、プリント配線基板に実装され、カメラモジュールと収容するための組込凹部が形成された箱状のハウジングと、このハウジングに収容保持された複数のコンタクトと、ハウジングの外側を覆い取付けられるシールドケースと、を含む。また、前記コンタクトは、接続対象と接続するように組込凹部に延出するコンタクト部を有し、前記シールドケースは導電性金属板の打ち抜き、折り曲げ加工で形成され、その対向の両側壁にカメラモジュールに係止するための弾性舌片がそれぞれ打ち抜き加工で形成される。使用する際に、カメラモジュールはシールドケースの弾性舌片によってハウジングの組込凹部に装着され、コンタクトの組込凹部へ延出するコンタクト部に接続している。これによって、カメラモジュールとプリント配線基板とを電気的に接続することを達成できる。
【特許文献１】中国実用新案第２６６５９８３号明細書
【考案の開示】
【考案が解決しようとする課題】
【０００３】
しかしながら、カメラモジュールに係止するための弾性舌片は、シールドケースの側壁から打ち抜き加工で形成されることで、シールドケースの構造が複雑になるとともに、製造加工が難しいという問題点があった。上述した欠点に鑑みて、新型なコネクタを開発することが必要である。
【０００４】
本考案は、前記の問題点を鑑みなされたもので、係合機能を有する構造の簡単なコネクタを提供することを目的とする。
【課題を解決するための手段】
【０００５】
このような問題を解決するために、本考案のコネクタは、対向した両側板を有し、両側板の間に接続対象を収容するための組込凹部が形成されたハウジングと、前記組込凹部へ延出するように前記接続対象に接続するためのコンタクト部を有するコンタクトと、前記ハウジングの外側を覆っているシールドケースとを含むコネクタにおいて、前記両側板に、前記組込凹部へ向かって延出するように前記ハウジングと一体的に形成される弾性アームがそれぞれ配置され、前記各弾性アームの末端に前記接続対象に係合するための係合部材が設けられることを特徴としている。
【考案の効果】
【０００６】
従来技術に比べ、本考案は以下の利点を有し、弾性アームがハウジングと一体的に形成されるので、シールドケースの構造が簡単になり、製造工程が簡略化される。
【考案を実施するための最良の形態】
【０００７】
以下、図1 〜図５を参照して、本考案のコネクタの好ましい第一実施形態について説明する。該コネクタ１００は、プリント配線基板（図示せず）に半田付けられ、接続対象（本実施状態において、接続対象はカメラモジュール部材５である）とプリント配線基板に接続するのに用いられる。コネクタ１００は、ハウジング１とハウジング１に装着された複数のコンタクト２と、ハウジング１に覆っているシールドケース４と、を含む。
【０００８】
前記ハウジング１は絶縁性合成樹脂で成形されたもので、略正方形状の後板１５と、この後板１５の各辺から垂直に延出するように形成された天板１１、底板１２、前記天板１１と底板１２を連接する両側板１３とからなり、前側を開口して組込凹部１０とする略箱状に形成されている。前記天板１１は、中部に第一凸部１１１が形成され、先端に前記組込凹部１０に連通する一対の第一凹部１１２が形成される。前記底板１２は、中部に前記組込凹部１０に連通する取付溝１２１と、この取付溝１２１の両側に第二凹部１２２とが形成され、底面に位置決め柱１２３が下向きに延出するように形成され、また、前記組込凹部１０に連通する複数の装着溝１２４が貫通し形成される。前記後板１５に装着溝１２４に対応し連通する受入溝１５１が形成される。
【０００９】
前記側板１３の内面の上下部には、収容溝１３２がそれぞれ形成される。前記側板１３には、収容溝１３２に対応するようにそれぞれ側板１３と一体的に形成される弾性アーム１３１と、弾性アーム１３１に連接するように側板１３に突出した連接部１３３とが配置される。また、前記弾性アーム１３１が収容溝１３２に弾性的な変形を生じる。図５を参照すると、弾性アーム１３１は前記側板１３の先端から組込凹部１０へ向かって折曲がって延出するように形成され、平板状の支持部１３１１と、弾性アーム１３１の末端に形成され、組込凹部１０に延出する突出部１３１２とを有し、横方向において、支持部１３１が前記突出部１３１２より側板１３に近寄っている。また、突出部１３１２の支持部１３１１に隣接した箇所に対応面１３１３が形成される。突出部１３１２がカメラモジュール部材５に押圧するように組込凹部１０の底面へ向かって延出し、前記対応面１３１３により前記組込凹部１０に挿入したカメラモジュール部材５に支持している。
【００１０】
前記コンタクト２は、前記受入溝１５１に収容する主体部２１と、主体部２１の一端から折曲がって延出するように形成されるコンタクト部２２と、主体部２１の他端から延出するように形成される半田付け部２３と、を含む。前記主体部２１の他端に複数の突刺２１１が設けられ、突刺２１１によって主体部２１が前記受入溝１５１に保持される。
【００１１】
前記シールドケース４は略コ字形状を呈し、天板４１と、この天板４１の両側から垂直に延出するように形成される両側板４２と、これら天板４１と両側板４２
とによって形成される収容空間４３と、を備えている。天板４１に前記ハウジング１の第一凸部１１１に係合するための第一係合溝４１１と、ハウジング１の一対の第一凹部１１２にそれぞれ保持される一対の第一保持片４１２とが形成される。前記両側板４２には構造が同じで、対向し延出するように設けられる一対の延出片４２１及び下向きに延出するように形成される固定脚４２２がそれぞれ設けられ、この延出片４２１にハウジング１の第二凹部１２２に係合するための第二保持片４２３が設けられる。
【００１２】
前記カメラモジュール部材５は、カメラモジュール５１とカメラモジュール５１に電気的に接続したドーター基板５２とを含み、カメラモジュール５１は、略正方形を呈する本体部５１１と、本体部５１１から突出したレンズユニット５１２（レンズの図面を省略）とを有する。この本体部５１１は前面５１３、後面５１４と、本体部５１１の四つ隅にそれぞれ形成された係止溝５１５と、係止溝５１５にそれぞれ対応するように本体部５１１の四つの隅に設けられたロック溝５１６と、ハウジング１の取付溝１２１に係合される凸状リブ５１７とが設けられる。前記本体部５１１の両側に凸部５１８がそれぞれ形成され、前記係止溝５１５が凸部５１８の両側にそれぞれ形成される。各凸部５１８が前記支持部１３１１に対応した外側面５１８１と、対応面１３１３に対応するように係止溝５１５に連通する端面５１８２とを有する。ドーター基板５２には、ロック溝５１６に係合する欠け口５２１と、前記コンタクト２に電気的に接続するための導電パッド５２２とが形成される。前記カメラモジュール５１のロック溝５１６がドーター基板５２の欠け口５２１に係合することによって、ドーター基板５２がカメラモジュール５１の後面に取付けられる。
【００１３】
図１乃至図４を参照すると、組み付ける際において、前記コンタクト２は突刺２１１が受入溝１５１に干渉し保持されることによって下方からハウジング１に装着され、そのコンタクト部２２が前カメラモジュール部材５に接続するために組込凹部１０に延出して、その半田付け部２３が装着溝１２４を貫通するようにハウジング１の底板１２から下向きに延出している。次に、シールドケース４がハウジング１に覆い、ハウジング１をシールドケース４の収容空間４３を収容させ、その第一保持片４１２と第二保持片４２３がハウジング１の第一凹部１１２及び第二凹部１２２にそれぞれ保持される。
【００１４】
使用する際は、組付け上げたカメラモジュール部材５がコネクタ１００の組込凹部１０に挿入される。挿入する時に、カメラモジュール部材５のロック溝５１６が弾性アーム１３１に押圧することで、弾性アーム１３１を弾性的に変形させ、従って、カメラモジュール部材５がハウジング１の組込凹部１０に挿入される。カメラモジュール部材５を挿入した際に、凸状リブ５１７がハウジング１の取付溝１２１に取付られると共に、前記弾性アーム１３１が元の状態を回復してカメラモジュール５１の係止溝５１５に収容し、端面５１８２が対応面１３１３に押圧し係合するとともに外側面５１８１が支持部１３１１に押圧し、また、突出部１３１２がカメラモジュール５１のロック溝５１６に押圧している。端面５１８２が対応面１３１３に押圧することにより、カメラモジュール部材５がコネクタ１００の高さの方向において保持され、突出部１３１２がカメラモジュール部材５がロック溝５１６に押圧することにより、カメラモジュール部材５が組込凹部１０から外れることを防止できる。また、カメラモジュール部材５をコネクタ１００の組込凹部１０に挿入した際には、コンタクト２のコンタクト部２２はドーター基板５２の導電パッド５２２に接続されている。
【００１５】
前記コネクタ１００は、ハウジング１の位置決め柱１２３及びシールドケース４の固持脚４２２がプリント配線基板に保持されることによってプリント配線基板に実装され、そのコンタクト２の半田付け部２３がプリント配線基板に電気的に接続し、このコンタクト２によって、このカメラモジュール部材５とプリント配線基板とを電気的に接続する。
【００１６】
本考案の弾性アーム１３１がシールドケース４と別体に成形されるので、シールドケース４の構造が簡単になり、製造加工及び取付も簡単になっている。また、弾性アーム１３１がインサート成形によりハウジング１と一体的に形成されるので、各弾性アーム１３１の組込凹部１０への突出量を確実に等しくすることができる。すなわち、カメラモジュール部材５がコネクタ１００の組込凹部１０に挿入する際に、各弾性アーム１３１の弾性的な変形量が同じことにより、カメラモジュール部材５の取付精度が提高される。
【００１７】
図６と図７は、本考案のコネクタの弾性アームの変形例である。図６と図７に示す弾性アーム１３１’は側板１３の底部からカメラモジュール部材５の挿入方向に沿って延出するように形成され、末端に前記組込凹部１０に所定の位置に延出した鉤部１３３’が形成され、前記鉤部１３３’には、カメラモジュール部材５に押圧するための押圧面１３３１’とカメラモジュール部材５の挿入をガイドするための案内面１３３２’が形成される。カメラモジュール部材５が前記鉤部１３３の案内面１３３２’により組込凹部１０に挿入された際において、鉤部１３３’がカメラモジュール部材５のロック溝５１６に係合されることによりカメラモジュール部材５がコネクタ１００に保持される。
【００１８】
以上本考案について最良の実施の形態を参照して詳細に説明したが、実施形態はあくまでも例示的なものであり、これらに限定されるものではない。また上述の説明は、本考案に基づきなしうる細部の修正或は変更など、いずれも本考案の請求範囲に属するものとする。
【図面の簡単な説明】
【００１９】
【図１】本考案に係るコネクタの組立斜視図である。
【図２】本考案に係るコネクタの部分の分解斜視図である。
【図３】図２に示すコネクタの他の角度から見た分解斜視図である。
【図４】図１に示すコネクタのＩＶ−ＩＶ線に沿っての断面図である。
【図５】図２に示すコネクタの点線で示す部分の拡大図である。
【図６】本考案に係るコネクタの他の実施状態の組立斜視図である。
【図７】図６に示すコネクタのＶＩ−ＶＩ線に沿っての断面図である。
【図８】図６に示すコネクタの部分の分解斜視図である。
【符号の説明】
【００２０】
１００  コネクタ
１  ハウジング
１０  組込凹部
１１  天板
１２  底板
１３  第一側板
１１１  第一凸部
１１２  第一凹部
１２１  取付溝
１２２  第二凹部
１２３  位置決め柱
１２４  装着溝
１３１、１３１’  弾性アーム
１３１１  支持部
１３１２  突出部
１３１３  対応面
１３２  収容溝
１３３  連接部
１３３’  鉤部
１３３１’  押圧面
１３３２’  案内面
１５１  受入溝
２  コンタクト
２１  主体部
２２  コンタクト部
２３  半田付け部
２１１  突刺
４  シールドケース
４１  天板
４２  側板
４３  収容空間
４１１  第一係合溝
４１２  第一保持片
４２１  延出片
４２２  固定脚
４２３  第二保持片
５  カメラモジュール部材
５１  カメラモジュール
５２  ドーター基板
５１１  本体部
５１２  レンズユニット
５１３  前面
５１４  後面
５１５  係止溝
５１６  ロック溝
５１７  凸状リブ
【図１】
0003136253.tif 000003
【図２】
0003136253.tif 000004
【図３】
0003136253.tif 000005
【図４】
0003136253.tif 000006
【図５】
0003136253.tif 000007
【図６】
0003136253.tif 000008
【図７】
0003136253.tif 000009
【図８】
0003136253.tif 000010